(57)【要約】【課題】  車輪を具備する歩行具の、フレーム両側に支承するステッキを、上肢と下肢と共に交互に揺動操作し、通常の歩行動作と同様に、上肢動作と下肢動作とを連動することにより、歩行動作の補助及び歩行機能回復の効果促進に資する歩行具を提供しようとするものである。【解決手段】  台形枠組のフレー厶１両側の先端付近にキャスター２を、後端付近に後車輪３，３を配設し、該フレームの中途内側に支軸受４，４を付設して揺動自在に摺動筒５ａ，５ａを支承し、該摺動筒に一対のステッキ５，５の中途を摺動自在に遊挿し、該ステッキの頂位にはハンドル６，６を、下端部にはスリッパ７，７を付設し、同ステッキ中途と摺動筒との間に、スリッパと床面との間隙ｃを保持してステッキとスリッパとの重量を支えるため、バネを８，８を介装している。【選択図】  図１
0003101626.tif 000002
【実用新案登録請求の範囲】
【請求項１】
台形枠組のフレーム（１）両側の先端付近にキャスター（２）を、後端付近に後車輪（３，３）を配設し、該フレームの中途に支軸受（４，４）を付設して揺動自在に摺動筒（５ａ，５ａ）を支承し、該摺動筒に一対のステッキ（５，５）の中途を摺動自在に遊挿し、該ステッキの頂位にはハンドル（６，６）を、下端部にはスリッパ（７，７）を付設し、同ステッキ中途と摺動筒との間に、スリッパと床面との間隙（ｃ）を保持してステッキとスリッパとの重量を支えるため、バネを（８，８）を介装してなり、スリッパ上に立位状態において、一方のステッキのハンドルと共に上肢を後方へ揺動すると同時に、スリッパに踏圧をかけることなく、バネの支持力により床面より浮上して前方へ踏み出し、体重を前方へ移動して前進力を得るとともに、他方のステッキのハンドルと共に上肢を前方へ揺動すると同時に、バネの支持力に抗してスリッパを踏圧し、床面後方へ踏み張り、前進力の反力を受け、両側交互にステッキの揺動操作を行って歩行動作を行うことを特徴とする歩行具。
【考案の詳細な説明】
【技術分野】
【０００１】  本考案は、福祉用具における歩行具に関する。
【技術背景】
【０００２】  従来、福祉用具の歩行具又は歩行器は、通常三脚ないし四脚の枠組であって、車輪を具備する歩行車と、車輪を具備しない歩行器とがあり、ハンドル又はアー厶レスト状の枠組を把持し、体位を依存して保持し、歩行動作の補助を行うものである。
【考案の開示】
【考案が解決しようとする課題】
【０００３】  従来の歩行具は、歩行動作の補助を行うために、ハンドル又はアームレスト状の枠組を手で把持して体位を保持し、従って、上肢は枠組へ固定状態であって、主に下肢だけの歩行動作を行うこととなるが、通常の歩行動作は下肢の屈伸と共に体重移動を左右交互に行うとき、体位の重心移動に伴う不平衡を補正するため、全身各部の筋力の相互作用と拮抗作用とを伴い、殊に上肢の動作は、下肢の動作と連動し、体位の平衡状態の制御と、重心移動を助長する動作として、歩行動作において重要な役割を有するが、一般の歩行具においては、比較的看過されている傾向があって、本考案は、従来の技術における、このような問題点に鑑みてなされたものであり、その目的とするところは、車輪を具備する歩行具の、フレーム両側に支承するステッキを、上肢と下肢と共に交互に揺動操作し、通常の歩行動作と同様に、上肢動作と下肢動作とを連動することにより、歩行動作の補助及び歩行機能回復の効果促進に資する歩行具を提供しようとするものである。
【課題を解決するための手段】
【０００４】  上記目的を達成するために、本考案の歩行具においては、台形枠組のフレーム両側の先端付近にキャスターを、後端付近に後車輪を配設し、該フレームの中途内側に支軸受を付設して揺動自在に摺動筒を支承し、該摺動筒に一対のステッキの中途を摺動自在に遊挿し、該ステッキの頂位にはハンドルを、下端部にはスリッパを付設し、同ステッキ中途と摺動筒との間に、スリッパと床面との間隙を保持してステッキとスリッパとの重量を支えるため、バネをを介装してなり、スリッパ上に立位状態において、一方のステッキのハンドルと共に上肢を後方へ揺動すると同時に、スリッパに踏圧をかけることなく、バネの支持力により床面より浮上して前方へ踏み出し、体重を前方へ移動して前進力を得るとともに、他方のステッキのハンドルと共に上肢を前方へ揺動すると同時に、バネの支持力に抗してスリッパを踏圧し、床面後方へ踏み張り、前進力の反力を受け、両側交互にステッキの揺動操作を行って歩行動作を行うことを特徴としている。
【考案の効果】
【０００５】  本考案は、以上説明したように構成されているので、以下に記載されたような効果を奏する。【０００６】  本考案の歩行具は、頂部にハンドル、下端にスリッパを具備するステッキの中途を支承しており、一方のハンドルを上肢と共に背後方向へ揺動するとき、ステッキ摺動筒の支軸受回りの揺動モーメントが得られ、スリッパと下肢部とを床面より浮かして前進側へ振り出す動作、所謂、踏み出し動作のモーメントを増補し、他方のハンドルを上肢と共に前進側へ振り出すとき、スリッパを下肢部の踏み張りにより床面後方へ踏圧する、所謂、踏み張り動作において、ハンドル及び上肢側によるステッキの摺動筒の支軸受回りの揺動モーメントは、スリッパならびに下肢側による同支軸受回りのモーメントを増補して下肢側の筋力を補助し、踏み出しと踏張りとの両動作とにおいて、下肢動作の補助を行うことができると共に、通常の歩行動作と同様に、上肢側と下肢側との変位を伴って平衡を維持し、円滑な体重移動を行って両側交互に歩行動作を反復することができる。【０００７】  そして、上記のように、上肢側の動作により下肢側の歩行動作を補助するとともに、ステッキの揺動操作により、上肢と下肢との動作を連動することにより、上肢側と下肢側との相互動作における律動感覚の道具的条件付けが可能であって、福祉用具として、歩行動作の補助及び歩行機能回復効果を促進することができる。【０００８】  上述のように、ステッキの簡単な揺動操作機構を採用し、単純、且つ、軽量な構成としており、安全且つ低廉な歩行具を提供することができる。
【考案を実施するための最良の形態】
【０００９】  考案の実施の形態を実施例にもとづき図面を参照して説明すると、図１ないし図５において、台形枠組のフレーム１両側の先端付近にキャスター２を、後端付近に後車輪３，３を配設し、該フレームの中途内側に支軸受４，４を付設して揺動自在に摺動筒５ａ，５ａを支承し、該摺動筒に一対のステッキ５，５の中途を摺動自在に遊挿し、該ステッキの頂位にはハンドル６，６を、下端部にはスリッパ７，７を付設し、同ステッキ中途と摺動筒との間に、スリッパと床面との間隙ｃを保持してステッキとスリッパとの重量を支えるため、バネを８，８を介装してなり、スリッパ上に立位状態において、一方のステッキのハンドルと共に上肢を後方へ揺動すると同時に、スリッパに踏圧をかけることなく、バネの支持力により床面より浮上して前方へ踏み出し、体重を前方へ移動して前進力を得るとともに、他方のステッキのハンドルと共に上肢を前方へ揺動すると同時に、バネの支持力に抗してスリッパを踏圧し、床面後方へ踏み張り、前進力の反力を受け、両側交互にステッキの揺動操作を行って歩行動作を行うこととしている。【００１０】  そして、図１に示すように、スリッパ７に立ち乗り状態においてバネ８に抗し、踏圧状の荷重が懸かるとき、スリッパ７は床面に接触し、同荷重の両側交互移動と共に、ハンドル６とスリッパ７とを互いに逆向きに揺動操作して歩行動作を行い、ステッキ５は、ハンドル６と、スリッパ７双方よりの操作力、即ち、揺動のモーメントを得て往復揺動を行うが、このとき、一方のスリッパ側を浮かして前方へ、所謂、踏み出し動作を行うことにより、前下方へ体重の重心を移動して前進力を生じ、他方のスリッパ側は、所謂、踏張り動作により同前進力の反力を支持すると共に、直ちに前方への踏み出し動作に移行し、左右両側交互に、踏み出し動作と踏張り動作とを反復して歩行動作を行うこととなる。【００１１】  上記スリッパ７側を浮上して踏み出し動作を行うとき、スリッパは、バネ８の上向き付勢により浮上を補助されて床面より離れ、背後方向への、所謂、踏張り動作により、前進力の反力を支持するとともに、同反力又は踏圧により、バネ８の上向き付勢に抗して、スリッパを床面上に圧接することとなる。【００１２】  また、一側のステッキ５を揺動して、ハンドル６を上肢と共に前進側へ振り出すときの揺動モーメントは、スリッパ７側を下肢部の伸張により床面後方へ踏圧する、所謂、踏張り動作における摺動筒の支軸受４回りの揺動モーメントを増補して下肢側の筋力を補助し、また、他側のハンドル６を上肢と共に背後方向へ振り戻すときも、ステッキの同支軸受回りの揺動モーメントにより、スリッパ７側を下肢部と共に前進側へ踏み出す動作における揺動モーメントを増補することとなり、両側交互に行う踏み出しと踏張りとの両動作において、上肢側の動作により、下肢側の動作の補助を行うと共に、通常の歩行動作とほぼ同様に、円滑に体重移動を行い、上肢側と下肢側の連動に応じて互いに平衡を維持し、律動的に歩行動作を反復することとする。【００１３】  そして、図２のステッキ５の操作概要を示す線図において、ステッキ５の長さＨ、ハンドル６の揺動範囲Ｌｈ、スリッパ７の歩幅相当の揺動範囲Ｌｆを、使用条件に対応し��設定し、歩幅半歩相当の揺動範囲Ｌｆ／２だけ踏み出すとき、支軸受４よりスリッパ７迄のステッキ５の長さｈ１と、支軸受４よりハンドル６迄のステッキ５の長さｈ２とは数１の関係があって、摺動筒の支軸受４の床上高さｈは、数２により求められる。
【数１】
0003101626.tif 000003
【数２】
ｈ＝｛ｈ１２−（Ｌｆ／２）２｝１／２
【実施例】
【００１４】  ここに、実施例として、ステッキ５の長さＨを７５０ｍｍ、ハンドル６の揺動範囲Ｌｈを３５０ｍｍ及びスリッパ７の歩幅相当の揺動範囲Ｌｆを３００ｍｍとし、摺動筒５ａ直下よりＬｆの１／２即ち１５０ｍｍだけ踏み出したとき、支軸受４よりスリッパ７までのステッキ長さｈ１は数３により、また、支軸受４の床上高さｈは数４により、それぞれ、求められる。
【数３】
ｈ１＝７５０×３００／（３５０＋３００）＝３４６．２（ｍｍ）
【数４】
ｈ＝（３４６．２２−１５０２）１／２＝３１２（ｍｍ）
【００１５】  上記のように、ステッキ５の長さＨ、ハンドル６の揺動範囲Ｌｈ、スリッパ７の歩幅相当の揺動範囲Ｌｆの与件に対して、支軸受４の床上高さｈの設定が可能であるため、使用者の体格、上肢の振り幅、下肢の歩幅及び体調に応じて、ステッキ５の長さ及び支軸受４の床上高さｈを調節可能な構成としてもよい。
【図面の簡単な説明】
【００１６】
【図１】歩行具の使用状態を示す立面図である。
【図２】歩行具の操作概要を示す線図である。
【図３】歩行具の平面図である。
【図４】歩行具の側面から見た立面図である。
【図５】歩行具の正面から見た立面図である。
【符号の説明】
【００１７】  １  フレーム
２  キャスター
３  後車輪
４  支軸受
５  ステッキ
５ａ  摺動筒
６  ハンドル
７  スリッパ
８  バネ
ｃ  スリッパと床面との間隙
Ｈ  ステッキ長さ
ｈ  支軸受の床上高さ
Ｌｆ  スリッパの歩幅相当の揺動範囲
Ｌｈ  ハンドルの揺動範囲
ｍ  使用者
【図１】
0003101626.tif 000004
【図２】
0003101626.tif 000005
【図３】
0003101626.tif 000006
【図４】
0003101626.tif 000007
【図５】
0003101626.tif 000008